(57)【要約】【課題】  カード読取装置のインサート・スロットと差し込まれるフラッシュ・メモリ・カードの状態を即時に検出及び表示できるようにする。【解決手段】  検出電気回路によってインサート・スロットとフラッシュ・メモリ・カードに対し検出コードを送信し、且つ検出し得たコンディション・コードをコントロール・チップにフィード・バックし、コントロール・チップがそのレジスタに一時に記憶されるコンディション・コードをホスト装置に送信し、そのホスト装置の内部のソフトウェアがそのコンディション・コードを受信後に、比較判断をし、インサート・スロットとフラッシュ・メモリ・カードの状態を即刻にディスプレイに表示する。【選択図】図１
2006024093.tif 000002
【特許請求の範囲】
【請求項１】
カード読取装置の内部にコントロール・チップを配置するとともに、そのコントロール・チップ内に予め配設される一種以上の検出電気回路をコントロールするための検出・表示方法において、
前記コントロール・チップが前記の検出電気回路を介してそれぞれのインサート・スロットまたはそれらのインサート・スロットに挿入されるフラッシュ・メモリ・カードに対し検出コードを送信することによって、それらのインサート・スロットまたはそれらのインサート・スロット内に挿入されるフラッシュ・メモリ・カードのコンディションを検出するステップＡと、
前記の検出電気回路が前記の検出されたコンディションのコンディション・コードをコントロール・チップへフィード・バックし、そのコントロール・チップが受け取ったコンディション・コードをコンディション・レジスタに一時に保持するステップＢと、
コントロール・チップのコンディション・レジスタ内におけるコンディション・コードをホスト装置に送信するとともに、そのレジスタ内のデータをクリアするステップＣと、
ソフト装置内の一部のソフトウェアがコンディション・コードを受け取ってから、即刻に比較判断を実行し、且つそのインサート・スロットまたはフラッシュ・メモリ・カードの目前の状態を即刻にディスプレイに表示するステップＤと、
前記それぞれのステップを周期になるように繰り返して検出及び表示をし、そのカード読取装置のインサート・スロットまたはそのインサート・スロット内に差し込まれるフラッシュ・メモリ・カードの最新の状態を表示するステップＥと、を繰り返して実行することを特徴とする、フラッシュ・メモリ・カードに適用するカード読取装置の自己検出の動的表示方法。
【請求項２】
前記検出電気回路には、オーバーチャージ保護装置を有し、前記のインサート・スロットまたは前記のフラッシュ・メモリ・カードのいずれ一つがショートしたことを検出する場合では、前記のコントロール・チップが前記のインサート・スロットに対し電気を切れ、且つコンディション・コードをコンディション・レジスタ内に一時に記憶し、ホスト装置の読み取りに供し、ホスト装置内の一部のソフトウェアがそのコンディション・コードを受信した後に、直ちに元来にノーマルに表示されるパターンまたはカラーを改変し、ユーザーにそのインサート・スロットまたはフラッシュ・メモリ・カードが現在ではショートされ、電気が切れており、仕事ができないことを告知するようにしたことを特徴とする、請求項１に記載のフラッシュ・メモリ・カードに適用するカード読取装置の自己検出の動的表示方法。
【請求項３】
前記のカード読取装置として一つの装置に一枚のカードを適用するものや一つの装置に複数枚のカード同士を適用するものなどを好適に採用できることを特徴とする、請求項１に記載のフラッシュ・メモリ・カードに適用するカード読取装置の自己検出の動的表示方法。
【請求項４】
前記のカード読取装置におけるそれぞれのインサート・スロットにおいては、フラッシュ・メモリ・カードが差し込まれない場合に、パターンや代表するためのカラーなどをディスプレイに表示させることによってユーザーに告知することを特徴とする、請求項１に記載のフラッシュ・メモリ・カードに適用するカード読取装置の自己検出の動的表示方法。
【請求項５】
前記のカード読取装置のインサート・スロットにはフラッシュ・メモリ・カードが差し込まれる場合に、前記の検出電気回路が直ちに差し込まれるインサート・スロットを検出し、且つ差し込まれるフラッシュ・メモリ・カードのフォーマットと種類と余剰記憶用流などを検出し、また、そのフラッシュ・メモリ・カードが書込み防止状態または損害状態または読み取りまたは書き込みを実行する状態にある場合に、その検出電気回路がそのコンディションを検出でき、且つコンディション・コードをホスト装置にフィード・バックして比較に供し、また、ホスト装置内の一部のソフトウェアがその内部のデータベースとコンディション・コードとを比較してから、予め設定される対応しあうパターンとカラーによって、ディスプレイに予め保留されるインサート・スロットの状態を表示するための位置におけるパターンとカラーを取替え、書き込み及び読み取りの状態にある場合では、直ちにアニメによってその書き込み及び読み取り状態を表示し、ディスプレイにおける元来の空きのインサート・スロットを代表するパターンとカラーを取替え、ユーザーにはっきりと何番目のインサート・スロットにおいてはどのようなフラッシュ・メモリ・カードが差し込まれているかのことを納得させ、また、そのフラッシュ・メモリ・カードの記憶容量などの目前の状態のことも一緒にパターンまたはカラーによって表示されるようにしたことを特徴とする、請求項１に記載のフラッシュ・メモリ・カードに適用するカード読取装置の自己検出の動的表示方法。
【発明の詳細な説明】
【技術分野】
【０００１】
本発明は、フラッシュ・メモリ・カードの読取装置の自己検出することと、動的にその状態を即刻にディスプレイに表示させるための方法に係わり、特にカード読取装置のインサート・スロットと、そのインサート・スロットに差し込まれるフラッシュ・メモリ・カードの最新の状態（コンディション）をアピール可能なカード読取装置の自己検出及び動的表示方法に関するものである。
【背景技術】
【０００２】
近年では、マーケットにおいては、フラッシュ・メモリ・カードのブームが形成されており、それらは従来のソフト・ディスクの地位を取替え、大容量の記憶メディアとなって、現代のカード読取装置の盛んな発展のことを推し進めている。マーケットの角度から観察する場合では、それは大量の記憶容量の引き起こす必然的な発展のことに過ぎないと認められている。
【０００３】
数年前では、フラッシュ・メモリ・カードが単にデジタル・カメラの産業に導入されていた。主に、ＵＳＢデータ・トランスミッション・コードを介してコンピュータと接続した。そのフラッシュ・メモリ・カードの最大な機能はデジタル・カメラの撮ったデジタル写真を保存することにあり、しかしながら、トランスミッション・コードを介してコンピュータと接続する場合では、ドライブ・プログラムをインストールしなければならなく、所定のコンピュータだけに適用できないため、かなり不便であり、また、現在では、フラッシュ・メモリ・カードは、コンピュータにおけるアプリケーションの分野では、マルチメディア情報を記憶することができ、カード読取装置をフラッシュ・メモリ・カードとコンピュータとの間のインターフェース装置となっている。
【０００４】
従来のように、前記のカード読取装置の機能は、フラッシュ・メモリ・カードとコンピュータとの間のブリッジの役を担当するものであり、カード読取装置を介して、われわれはコンピュータにおいてフラッシュ・メモリ・カードに記憶される写真を観覧でき、また、そのカードに記憶されるミュージックを聴取でき、デジタルカメラをトランスミッション・コードを介してコンピュータに接続する必要がなくなり、気軽にフラッシュ・メモリ・カードのことを微小型の身につけるハードディスクとして使用できる。また、前記のカード読取装置には、複数種のフォーマットのフラッシュ・メモリ・カード同士と合せて使用でき、例えば、Ｃｏｍｐａｃｔ  Ｆｌａｓｈ  Ｔｙｐｅ  Ｉ＆ＩＩ（ＣＦ）やＭｉｃｒｏｄｒｉｖｅ（ＭＤ）やＳｍａｒｔＭｅｄｉａ（登録商標）（ＳＭ）やＭｅｍｏｒｙ  Ｓｔｉｃｋ（ＭＣ）やＭＳ  ＰｒｏやＭＳ  ＤｕｏやＭｕｌｔｉＭｅｄｉａ  Ｃａｒｄ（ＭＭＣ）やＳｅｃｕｒｅ  Ｄｉｇｉｔａｌ（ＳＤ）やｘＤ  Ｐｉｃｔｕｒｅ  ｃａｒｄ（ｘＤ）などと合せて使用できる。また、前記のようなそれぞれのタイプのフラッシュ・メモリ・カードがマーケットに登場されるため、カード読取装置はシングル装置にシングル・スロットのことより各種のフラッシュ・メモリ・カード同士と相容れるシングル装置に複数のスロット同士を適用するような物品が登場される。
【０００５】
しかしながら、マーケットにおいては、数十種以上のそれぞれ異なる仕様のフラッシュ・メモリ・カードが存在するため、よく消費者にコンヒュースさせることがあり、また、カード読取装置がＵＳＢコードを介してマイクロソフトのウインドウスシステムに接続される場合に、システムはカード読取装置にはいくつのスロットにおけるフラッシュ・メモリ・カードをサポートしているかのことを判断し、いくつかの“取り外し式磁気ディスク・ドライバー”を表示し、また、そのインサート・スロットにフラッシュ・メモリ・カードが差し込まれているかのことにもかかわらず、そのカード読取装置はすべてのインサート・スロット同士の数をコンピュータに知らせ、そのオペレーティング・システムが全部の数を表示するようになっているので、ユーザーがどのような”取り外し式磁気ディスク・ドライバー“のパターンがどのフラッシュ・メモリ・カードのインサート・スロットを代表するかのことを判断しにくくなり、特に複数のカード適用のシングル・スロットのカード読取装置の場合では、そのインサート・スロットにおける待機中のフラッシュ・メモリ・カードがどのような種類のカードであるかのことを判別しにくくなり、且つユーザーもディスプレイに表示されるパターンの状態よりそのカードの種類を判別しがたいものである。このような従来のカード読取装置の読み取り方法は、検出されたすべてのフラッシュ・メモリ・カードをすべて”取り外し式磁気ディスク・ドライバー“となるように表示し、ユーザーがよくそのカードの種類を判別できないため、コンヒュースされる場合がある。
【０００６】
また、目前の電子類の製品がもく文句されるのは、それらが壊れた場合では、全然兆候を有しなく、且つその故障の原因が、よく製品の内部の素子が老化して壊れたり、操作し誤って壊れたりするものであるので、それらの状況がカード読取装置またはフラッシュ・メモリ・カードに発生される場合に、苦労して入力してデータベースを壊させたり、なくさせたりすることを生じ、また、他の接続中の装置をついでに破壊させる場合さえあるので、ユーザーがその損害状態を全然掌握できない課題を有し、そのため、事前にカード読取装置とフラッシュ・メモリ・カードの最新の状況を掌握できれば、前記のそれぞれの不好適なことをなくすことができる。
【発明の開示】
【発明が解決しようとする課題】
【０００７】
前記の従来の技術のそれぞれの課題に鑑みて、本発明の発明者は研究開発を進め、その他年間に当該事業を従事してきた複数年間の経験に基づいてリサーチを進行した結果、とうとう本発明の“フラッシュ・メモリ・カードに適用するカード読取装置の自己検出の動的表示方法”を提出するに至った。
【０００８】
そのため、本発明は、ホスト装置内に予めインストールしたソフトウェアをあわせてコントロール・チップを有するカード読取装置を使用することによって、カード読取装置のインサート・スロットとそのインサート・スロットに差し込まれるフラッシュ・メモリ・カードの状態を明らかに検出及び表示できる、“フラッシュ・メモリ・カードに適用するカード読取装置の自己検出の動的表示方法”を提出することをその主要な解決しようとする課題とする。
【課題を解決するための手段】
【０００９】
前記の目的を図るために、本発明による“フラッシュ・メモリ・カードに適用するカード読取装置の自己検出の動的表示方法”は、カード読取装置にコントロール・チップを配設し、且つそのコントロール・チップ内に予め配設される一種以上の検出電気回路を制御する方法を設定し、当該方法は、前記検出電気回路によってそれぞれのインサート・スロットとそれぞれのフラッシュ・メモリ・カードに対し検出コードを送信し、且つ検出し得たコンディション・コードをコントロール・チップにフィード・バックし、コントロール・チップがそのレジスタに一時に記憶されるコンディション・コードをホスト装置に送信し、そのホスト装置の内部のソフトウェアがそのコンディション・コードを受信後に、直ちに比較判断をし、且つ前記のインサート・スロットとフラッシュ・メモリ・カードの状態を即刻にディスプレイに表示し、また、前記のそれぞれのステップが周期になるように繰り返して実行され、こうすると、カード読取装置におけるインサート・スロットとそれらのインサート・スロット同士に差し込まれるフラッシュ・メモリ・カード同士の最新の状態を即時に表示できる効果を取得できる。
【発明を実施するための最良の形態】
【００１０】
本発明の目的と特徴とその効果をさらに詳しく説明するために、以下に具体的な実施の形態を列挙して本発明の実施例を詳細的で具体的に説明する。
【００１１】
図１は、本発明の操作フローを示すフローチャートである。その図面に開示されるように、本発明は、カード読取装置内にコントロール・チップを配設し、且つそのコントロール・チップ内に一種以上の検出電気回路を導入し、図面に開示されていないが、前記のカード読取装置としてシングル装置にシングル・カードのものやシングル装置に複数枚のッカードを使用する装置などを好適に採用でき、それらのことは本発明の技術の重点ではないので、その電気回路の部分については、ここでは省略する。
【００１２】
本発明による検出及び表示の方法には、前記のコントロール・チップより検出電気回路を介してそれぞれのインサート・スロットとそれぞれの差し込まれるカードに対し検出コードを送信することによって、それぞれのインサート・スロットとそれぞれのカードの状態を検出するステップＡと、検出電気回路が検出したコンディション・コードをコントロール・チップにフィード・バックし、コントロール・チップが受信したコンディション・コードをコンディション・レジスタに一時に記憶するステップＢと、コントロール・チップのコンディション・レジスタにおけるコンディション・コードをホスト装置へ送信するとともに、前記のコンディション・レジスタをクリアするステップＣと、ホスト装置内の一部のソフトウェアがコンディション・コードを受信してから、直ちに比較判断をし、且つ前記のインサート・スロットと前記のフラッシュ・メモリ・カードのコンディションを即刻にディスプレイの画面に表示するステップＤと、前記のそれぞれのステップを順次に周期となるように繰り返すことによって、カード読取装置のインサート・スロットとフラッシュ・メモリ・カードの最新の状態を即時に検出及び表示するステップＥと、を備えている。
【００１３】
前記のような操作フローを実行する場合、さらに、その検出電気回路にオーバーチャージ保護電気回路を導入し、それらのインサート・スロットまたはフラッシュ・メモリ・カードにおいてはオーバーチャージが生じる場合に、それを検出して前記のインサート・スロットまたはフラッシュ・メモリ・カードへ流される電流を遮断し、且つそのコンディション・コードをコンディション・レジスタに一時に記憶し、ホスト装置がその内部の情報をキャッチし、そのホスト装置の内部のソフトウェアがそのコンディション・コードを受信してから、直ちに元来の正常のパターンまたはカラーを変更し、ユーザーに、読取装置のインサート・スロットまたはフラッシュ・メモリ・カードが断路して仕事できない状態を告知する。
【００１４】
また、カード読取装置はノーマルな状態にある場合に、前記のディスプレイが前記の自己検出手数によってカード読取装置のそれぞれのインサート・スロット同士（例えば、シングル装置に複数のインサート・スロット同士を合せて形成する場合）をパターンやそれぞれ異なるカラーの表示によって画面に表示する。また、その中のあるインサート・スロットにフラッシュ・メモリ・カードがインサートされる場合では、前記の検出電気回路が即刻にインサートされるインサート・スロットとそのフラッシュ・メモリ・カードに係わる情報を検出し、且つ取得したコンディション・コードを即刻にホスト装置に送信して比較判断に供し、そのホスト装置はその内部のデータベースにおける情報によって前記の信号を比較判断してから、対応するためのパターンやカラーなどの情報を即刻に画面における元来の空きのインサート・スロットを代表するパターンまたはカラーを取替え、ユーザーにどのインサート・スロットにどのようなフラッシュ・メモリ・カードが挿入されていることを告知し、且つそのフラッシュ・メモリ・カードの目前の状態も一緒にパターンやカラーによって表示され、例えば、フラッシュ・メモリ・カードが書込み禁止の状態にあることやその損害状態やその余剰記憶容量などの情報を明らかに表示し、ユーザーに一目瞭然にインサート・スロットとフラッシュ・メモリ・カードの現在の状態を了解させる。
【００１５】
他に、検出電気回路は、フラッシュ・メモリ・カードが読み取られたり書き込まれたりするような状態を検出する場合、そのホスト装置もそのディスプレイにアニメによってその書き込みまたは読み取りの状態を知らせ、ユーザーがそれらの操作中にカードを取り出すようにすることを防止でき、そのカードと読取装置の損害率を低減させることができる。
【産業上の利用可能性】
【００１６】
本発明によると、カード読取装置のインサート・スロットとそれらのインサート・スロットに差し込まれるフラッシュ・メモリ・カードの最新の状態を即時にユーザーに告知できる目的を達成できる。
【００１７】
前記に説明したように、本発明によるフラッシュ・メモリ・カードに適用するカード読取装置の自己検出の動的表示方法は、実現可能な発明であり、且つ従来技術のそれぞれの課題を解消でき、既に高度の産業上の利用可能性を有し、且つ新規性と進歩性とを備えるので、法に従って出願を提起するが、ご査察の上、早期に公開されるよう宜しくお願い申し上げますこと。
【００１８】
また、前記に説明した具体的な構成及び方法は単に本発明の実施可能な実施例に過ぎなく、本発明の範囲を狭義的に局限するものではなく、本発明の開示されたそれぞれの技術の要旨に基づいて実施される他のすべての相同の効果を有する改造や変更や一部転用などのものもすべて本発明の主張範囲内に納入されるべきことが言うまでもないことである。
【図面の簡単な説明】
【００１９】
【図１】本発明の操作フローを示すフローチャートである。
【符号の説明】
【００２０】
Ａ  コントロール・チップより検出電気回路を介してそれぞれのインサートスロットとそれぞれの差し込まれるカードに対し検出コードを送信することによって、それぞれのインサート・スロットとそれぞれのカードの状態を検出する
Ｂ  検出電気回路が検出したコンディション・コードをコントロール・チップにフィード・バックし、コントロール・チップが受信したコンディションコードをコンディション・レジスタに一時に記憶する
Ｃ  コントロール・チップのコンディション・レジスタにおけるコンディションコードをホスト装置へ送信するとともに、前記のコンディション・レジスタをクリアする
Ｄ  ホスト装置内の一部のソフトウェアがコンディション・コードを受信してから、直ちに比較判断をし、且つ前記のインサート・スロットと前記のフラッシュ・メモリ・カードのコンディションを即刻にディスプレイの画面に表示する
Ｅ  前記のそれぞれのステップを順次に周期となるように繰り返すことによってカード読取装置のインサート・スロットとフラッシュ・メモリ・カードの最新の状態を即時に検出及び表示する
【図１】
2006024093.tif 000003